(57)【特許請求の範囲】
【請求項１】
車軸に動力を出力する電動機の駆動回路に電圧変換器を介さずに並列接続された燃料電池とキャパシタとを有する電気自動車であって、
前記燃料電池の最大出力と前記キャパシタの容量は、車両に要求される最大加速度で繰り返し発進して所定の高車速とする第１の走行条件と、車両に要求される最大加速度で繰り返し第１の中間車速から第２の中間車速とする第２の走行条件とを満たすよう設定されてなる
電気自動車。
【請求項２】
前記キャパシタの容量は、前記燃料電池を該燃料電池に設定されている最大出力までの範囲内で運転したときに前記第１の走行条件と前記第２の走行条件とを満たす最小容量から所定範囲内の容量となるよう設定されてなる請求項１記載の電気自動車。
【請求項３】
前記燃料電池の最大出力は、前記キャパシタを該キャパシタに設定されている容量の範囲内で運転したときに前記第１の走行条件と前記第２の走行条件とを満たす最小出力から所定範囲内の出力となるよう設定されてなる請求項１記載の電気自動車。
【請求項４】
前記燃料電池の最大出力と前記キャパシタの容量は、前記第１の走行条件を満たす必要最小の関係と前記第２の走行条件を満たす必要最小の関係との一致点を含む所定範囲内となるよう設定されてなる請求項１記載の電気自動車。
【請求項５】
並列接続された燃料電池とキャパシタとからの電力を電圧変換することなく車軸に動力を出力可能な電動機の駆動回路に供給して走行する電気自動車に搭載すべき燃料電池の性能とキャパシタの性能とを設定する性能設定方法であって、
車両に要求される最大加速度で繰り返し発進して所定の高車速とする第１の走行条件と、車両に要求される最大加速度で繰り返し第１の中間車速から第２の中間車速とする第２の走行条件とが満たされるよう前記燃料電池の最大出力と前記キャパシタの容量とを設定する
性能設定方法。
【請求項６】
前記キャパシタの容量を、前記燃料電池を該燃料電池に設定されている最大出力までの範囲内で運転したときに前記第１の走行条件と前記第２の走行条件とを満たす最小容量から所定範囲内の容量となるよう設定する請求項５記載の性能設定方法。
【請求項７】
前記燃料電池の最大出力を、前記キャパシタを該キャパシタに設定されている容量の範囲内で運転したときに前記第１の走行条件と前記第２の走行条件とを満たす最小出力から所定範囲内の出力となるよう設定する請求項５記載の性能設定方法。
【請求項８】
前記燃料電池の最大出力と前記キャパシタの容量を、前記第１の走行条件を満たす必要最小の関係と前記第２の走行条件を満たす必要最小の関係との一致点を含む所定範囲内となるよう設定する請求項５記載の性能設定方法。
【発明の詳細な説明】
【０００１】
【発明の属する技術分野】
本発明は、電気自動車および性能設定方法に関し、詳しくは、車軸に動力を出力する電動機の駆動回路に電圧変換器を介さずに並列接続された燃料電池とキャパシタとを有する電気自動車および並列接続された燃料電池とキャパシタとからの電力を電圧変換することなく車軸に動力を出力可能な電動機の駆動回路に供給して走行する電気自動車に搭載すべき燃料電池の性能とキャパシタの性能とを設定する性能設定方法に関する。
【０００２】
【従来の技術】
従来、この種の電気自動車としては、燃料電池とキャパシタとからの出力により走行するものが提案されている（例えば、特許文献１参照）。この電気自動車では、所定の加速度以上の状態が所定時間以上連続する所定加速継続状態には、燃料電池からの出力が増加すると共にキャパシタからの出力が小さくなるよう制御することにより、車両の高負荷運転を継続してもキャパシタからの出力を確保することができる、とされている。
【０００３】
【特許文献１】
特開平８−３３１２０号公報（第３頁，第８頁）
【０００４】
【発明が解決しようとする課題】
しかしながら、こうした電気自動車では、不適正な性能の燃料電池やキャパシタを搭載する場合が生じる。上述したように、所定加速継続状態には燃料電池からの出力を増加すると共にキャパシタからの出力を小さくする制御が行なわれるから、この状態が継続する場合を考えると、最終的には、キャパシタの容量に拘わらず、この状態において必要な出力のすべてを燃料電池からの出力で賄うことになる。このため、所定加速継続状態を継続するのに必要な出力を出力することができる燃料電池を搭載することになる。これでは、過大な性能の燃料電池を搭載することとなり、エネルギ効率の観点から好ましくない。
【０００５】
本発明の電気自動車は、車両に必要な動特性に適合する燃料電池とキャパシタを搭載することを目的の一つとする。また、本発明の電気自動車は、燃料電池とキャパシタとを搭載する電気自動車におけるエネルギ効率を向上させることを目的の一つとする。本発明の性能設定方法は、燃料電池とキャパシタとを搭載する電気自動車において車両に必要な動特性に適合する燃料電池とキャパシタの性能を設定することを目的の一つとする。また、本発明の性能設定方法は、燃料電池とキャパシタとを搭載する電気自動車において車両のエネルギ効率を向上させるための燃料電池とキャパシタの性能を設定することを目的の一つとする。
【０００６】
【課題を解決するための手段およびその作用・効果】
本発明の電気自動車および性能設定方法は、上述の目的の少なくとも一部を達成するために以下の手段を採った。
【０００７】
本発明の電気自動車は、
車軸に動力を出力する電動機の駆動回路に電圧変換器を介さずに並列接続された燃料電池とキャパシタとを有する電気自動車であって、
前記燃料電池の最大出力と前記キャパシタの容量は、車両に要求される最大加速度で繰り返し発進して所定の高車速とする第１の走行条件と、車両に要求される最大加速度で繰り返し第１の中間車速から第２の中間車速とする第２の走行条件とを満たすよう設定されてなる
ことを要旨とする。
【０００８】
この本発明の電気自動車では、燃料電池の最大出力とキャパシタの容量は、車両に要求される最大加速度で繰り返し発進して所定の高車速とする第１の走行条件と、車両に要求される最大加速度で繰り返し第１の中間車速から第２の中間車速とする第２の走行条件とを満たすよう設定されているから、車両に必要な動特性に適合した性能の燃料電池とキャパシタとを搭載するものとすることができる。この結果、過大な性能の燃料電池やキャパシタを搭載しないから、車両のエネルギ効率を向上させることができる。
【０００９】
こうした本発明の電気自動車において、前記キャパシタの容量は、前記燃料電池を該燃料電池に設定されている最大出力までの範囲内で運転したときに前記第１の走行条件と前記第２の走行条件とを満たす最小容量から所定範囲内の容量となるよう設定されてなるものとすることもできる。こうすれば、燃料電池の性能に応じて車両に必要な動特性に適合した性能のキャパシタを搭載するものとすることができる。
【００１０】
また、本発明の電気自動車において、前記燃料電池の最大出力は、前記キャパシタを該キャパシタに設定されている容量の範囲内で運転したときに前記第１の走行条件と前記第２の走行条件とを満たす最小出力から所定範囲内の出力となるよう設定されてなるものとすることもできる。こうすれば、キャパシタの性能に応じて車両に必要な動特性に適合した性能の燃料電池を搭載するものとすることができる。
【００１１】
さらに、本発明の電気自動車において、前記燃料電池の最大出力と前記キャパシタの容量は、前記第１の走行条件を満たす必要最小の関係と前記第２の走行条件を満たす必要最小の関係との一致点を含む所定範囲内となるよう設定されてなるものとすることもできる。こうすれば、車両に必要な動特性に適合する性能のうち最小近傍の性能の燃料電池とキャパシタとを搭載するものとすることができる。この結果、車両のエネルギ効率を更に向上させることができる。
【００１２】
あるいは、本発明の電気自動車において、前記燃料電池の最大出力と前記キャパシタの容量は、該燃料電池と該キャパシタのコストが略最小となるよう設定されてなるものとすることもできる。こうすれば、電気自動車の製造コストを低減することができる。
【００１３】
また、本発明の電気自動車において、車両重量が略２ｔのときに、前記燃料電池と前記キャパシタとが２４０〜５００Ｖの電圧で使用され、前記燃料電池の最大出力は９５ｋＷ近傍に設定されてなり、前記キャパシタの容量は７Ｆ近傍に設定されてなるものとすることもできる。この場合、前記電動機の最大出力は、８５ｋＷ近傍に設定されてなるものとすることもできる。
【００１４】
本発明の電気自動車において、前記電動機の最大出力は、前記燃料電池の最大出力と該最大出力で運転されている燃料電池の動作電圧における前記キャパシタの最大出力との和と略等価となるよう設定されてなるものとすることもできる。こうすれば、車両に必要な動特性に適合した性能の電動機を搭載するものとすることができる。
【００１５】
本発明の性能設定方法は、
並列接続された燃料電池とキャパシタとからの電力を電圧変換することなく車軸に動力を出力可能な電動機の駆動回路に供給して走行する電気自動車に搭載すべき燃料電池の性能とキャパシタの性能とを設定する性能設定方法であって、
車両に要求される最大加速度で繰り返し発進して所定の高車速とする第１の走行条件と、車両に要求される最大加速度で繰り返し第１の中間車速から第２の中間車速とする第２の走行条件とが満たされるよう前記燃料電池の最大出力と前記キャパシタの容量とを設定する
ことを要旨とする。
【００１６】
この本発明の性能設定方法によれば、車両に要求される最大加速度で繰り返し発進して所定の高車速とする第１の走行条件と車両に要求される最大加速度で繰り返し第１の中間車速から第２の中間車速とする第２の走行条件とが満たされるよう車両に搭載すべき燃料電池の最大出力とキャパシタの容量とを設定するから、車両に必要な動特性に適合した燃料電池とキャパシタの性能を設定することができる。そして、こうして設定した性能の燃料電池とキャパシタとを電気自動車に搭載することにより、車両のエネルギ効率を向上させることができる。
【００１７】
こうした本発明の性能設定方法において、前記キャパシタの容量を、前記燃料電池を該燃料電池に設定されている最大出力までの範囲内で運転したときに前記第１の走行条件と前記第２の走行条件とを満たす最小容量から所定範囲内の容量となるよう設定するものとすることもできる。こうすれば、燃料電池の性能に応じて車両に必要な動特性に適合したキャパシタの性能を設定することができる。
【００１８】
また、本発明の性能設定方法において、前記燃料電池の最大出力を、前記キャパシタを該キャパシタに設定されている容量の範囲内で運転したときに前記第１の走行条件と前記第２の走行条件とを満たす最小出力から所定範囲内の出力となるよう設定するものとすることもできる。こうすれば、キャパシタの性能に応じて車両に必要な動特性に適合した燃料電池の性能を設定することができる。
【００１９】
さらに、本発明の性能設定方法において、前記燃料電池の最大出力と前記キャパシタの容量を、前記第１の走行条件を満たす必要最小の関係と前記第２の走行条件を満たす必要最小の関係との一致点を含む所定範囲内となるよう設定するものとすることもできる。こうすれば、車両に必要な動特性に適合する燃料電池とキャパシタの性能のうち最小近傍の性能を設定することができる。こうして設定した性能の燃料電池とキャパシタとを電気自動車に搭載することにより、車両のエネルギ効率を更に向上させることができる。
【００２０】
あるいは、本発明の性能設定方法において、前記燃料電池の最大出力と前記キャパシタの容量を、該燃料電池と該キャパシタのコストが略最小となるよう設定するものとすることもできる。こうすれば、車両に必要な動特性に適合した性能の燃料電池とキャパシタのうちコストの小さな性能を設定することができる。この結果、電気自動車の製造コストを低減することができる。
【００２１】
【発明の実施の形態】
次に、本発明の実施の形態を実施例を用いて説明する。図１は、本発明の一実施例である電気自動車１０の構成の概略を示す構成図である。実施例の電気自動車１０は、図示するように、水素高圧タンク２２から供給され循環ポンプ２６により循環される燃料ガスとしての水素ガスとエアコンプレッサ２８やアキュムレータ２４から切替バルブ５０を介して供給される空気中の酸素とにより発電する燃料電池３０と、この燃料電池３０に遮断器５６を介して並列に接続されたキャパシタ３２と、燃料電池３０およびキャパシタ３２からの直流電力を三相交流電力に変換するインバータ３４と、インバータ３４により変換された三相交流電力により駆動しデファレンシャルギヤ１４を介して駆動輪１２に動力を出力する走行用モータ３６と、車両全体をコントロールする電子制御ユニット７０とを備え、車両の総重量が約２ｔとなるよう構成されている。
【００２２】
燃料電池３０は、図示しないが、電解質膜とこの電解質膜を狭持するアノード電極およびカソード電極とからなる単セルをセル間の隔壁をなすセパレータと共に複数積層してなる燃料電池スタックにより構成されており、セパレータに形成されたガス流路を通じてアノード電極に供給された水素ガスとカソード電極に供給された空気による電気化学反応により発電する。燃料電池３０には、図示しないが、冷却媒体（例えば、冷却水）が循環可能な循環路が形成されており、この循環路内の冷却媒体の循環により燃料電池３０内の温度が適温（例えば、６５℃〜８５℃）に保持されるようになっている。実施例の電気自動車１０には、最大出力（定格値）が９５ｋＷで動作電圧が２４０〜４００Ｖの燃料電池３０が搭載されている。
【００２３】
キャパシタ３２は、例えば、電気二重層キャパシタ（ＥＤＬＣ）として構成されており、実施例の電気自動車１０には、使用電圧が２４０〜５００Ｖで容量が７Ｆのものを搭載している。
【００２４】
走行用モータ３６は、例えば、電動機として機能すると共に発電機として機能する周知の同期発電電動機として構成されており、実施例の電気自動車１０には、定格出力が８０〜８５ｋＷのものを搭載している。この走行用モータ３６の定格出力は、電気自動車１０に搭載した燃料電池３０の最大出力とこの最大出力で運転されている燃料電池３０の動作電圧におけるキャパシタ３２の最大出力との和と略等価となるよう調整して設定したものである。
【００２５】
燃料電池３０およびキャパシタ３２からの電力ラインには燃料電池３０およびキャパシタ３２からの高電圧を低電圧（例えば、１２Ｖ）に変換するＤＣ／ＤＣコンバータ５４が取り付けられており、１２Ｖ電源としての２次電池６０や車両に搭載された補機６２に電力を供給している。
【００２６】
電子制御ユニット７０は、ＣＰＵ７２を中心としたマイクロプロセッサとして構成されており、ＣＰＵ７２の他に、処理プログラム等が記憶されたＲＯＭ７４と、一時的にデータを記憶するＲＡＭ７６と、図示しない入出力ポートとを備える。この電子制御ユニット７０には、キャパシタ３２とインバータ３４との間に並列に取り付けられた電圧センサ５２からの電源電圧やシフトレバー８１のポジションを検出するシフトポジションセンサ８２からのシフトポジション，アクセルペダル８３の踏み込み量を検出するアクセルペダルポジションセンサ８４からのアクセル開度，ブレーキペダル８５の踏み込み量を検出するブレーキペダルポジションセンサ８６からのブレーキポジション，車両の走行速度を検出する車速センサ８８からの車速Ｖなどが入力ポートを介して入力されている。また、電子制御ユニット７０からは、循環ポンプ２６への駆動信号やエアコンプレッサ２８への駆動信号，インバータ３４へのスイッチング信号，ＤＣ／ＤＣコンバータ５４への直流電力変換信号，遮断器５６への開閉信号，切替バルブ５０への切替信号等が出力ポートを介して出力されている。
【００２７】
こうして構成された実施例の電気自動車１０では、運転者がアクセルペダル８３を踏み込むと、アクセルペダルポジションセンサ８４により検出されるアクセル開度と車速センサ８８により検出される車速Ｖに基づいて車両に要求されるトルク（走行用モータ３６から出力すべきトルク）が設定され、この設定されたトルクが走行用モータ３６から出力されるようインバータ３４が制御される。このとき走行用モータ３６に供給される最大電力は、燃料電池３０の最大出力とこの最大出力で運転されている燃料電池３０の動作電圧におけるキャパシタ３２の最大出力との和の直流電力から補機に必要な電力を差し引いた電力を三相交流電力に変換したものとなる。したがって、この電力が走行用モータ３６に供給されたときに走行用モータ３６からの出力が定格出力となるよう走行用モータ３６を選定すれば、燃料電池３０やキャパシタ３２の性能に最も適合する性能を有するモータを選定することになる。実施例では、こうして走行用モータ３６を選定しているのである。なお、車両に要求されるトルクはアクセル開度と車速Ｖとにより設定されるが、その最大トルクは車両に必要な動特性によって設定される。
【００２８】
また、実施例の電気自動車１０では、運転者がブレーキペダル８５を踏み込むと、ブレーキペダルポジションセンサ８６により検出されるブレーキペダルポジションと車速センサ８８により検出される車速Ｖとに基づいて車両の制動トルクが設定され、その一部が走行用モータ３６による回生トルクにより賄われるようインバータ３４が制御され、残余のトルクが図示しない機械ブレーキにより賄われるよう機械ブレーキが制御される。走行用モータ３６を回生制御することにより得られる電力は、インバータ３４により直流電力に変換されてキャパシタ３２に蓄えられ、次に運転者がアクセルペダル８３を踏み込んだときの車両の加速に用いられる。設定された制動トルクの走行用モータ３６による回生トルクと機械ブレーキによるトルクとへの分配は制御上では如何様にも行なうことができるが、エネルギ効率を考慮すれば、その多くを走行用モータ３６による回生トルクに分配するよう制御するのが好ましい。
【００２９】
ここで、車両に必要な動特性としては、車両に要求される最大加速度で発進して所定の高車速にする発進時のフル加速を繰り返し行なうことができる条件（以下、発進時フル加速繰り返し可能条件という）と、車両に要求される最大加速度で中間車速から３０ｋｍ／ｈ程度大きな車速にする中間車速におけるフル加速を繰り返し行なうことができる条件（以下、中間車速フル加速繰り返し可能条件という）とを満たすことが考えられる。即ち、こうした二つの条件を満たす動特性が得られれば、車両としては十分に使用に耐えられるものとなる。実施例の電気自動車１０では、こうした動特性が得られる性能であってコストが小さくなるよう燃料電池３０とキャパシタ３２とが選定されて搭載されている。以下に実施例の燃料電池３０の性能とキャパシタ３２の性能との関係、特に燃料電池３０の最大出力とキャパシタ３２の容量との関係について説明する。
【００３０】
図２は、車両総重量が２ｔの電気自動車における燃料電池３０の最大出力とキャパシタ３２の容量と車両の動特性とコストとの関係の一例を示す説明図である。図中、実線Ａは発進時フル加速繰り返し可能条件を満たす下限を示し、破線Ｂは中間車速フル加速繰り返し可能条件を満たす下限を示し、一点鎖線Ｃは等コスト線を示す。車両に必要な動特性を満たす領域は、発進時フル加速繰り返し可能条件と中間車速フル加速繰り返し可能条件とを満たす領域であるから、図中の実線Ａの右上領域と破線Ｂの右上領域の重なる領域（以下、条件満足領域という）である。この条件満足領域のうち実線Ａや破線Ｂから離れる部分（例えば、図中右上隅の部分）は、車両に必要な動特性に対して過大な性能を有することになるから、エネルギ効率の観点から好ましくない。したがって、条件満足領域のうち実線Ａや破線Ｂの近傍の領域（図中、ハッチングされた領域、以下、好適領域という）が好ましい。即ち、この好適領域に属する性能の燃料電池とキャパシタとを選定して燃料電池３０とキャパシタ３２として搭載すれば、車両に必要な動特性に適合した性能の燃料電池とキャパシタとを搭載した電気自動車１０とすることができる。したがって、電気自動車１０に搭載する燃料電池３０の最大出力が既に設定されているときには、この好適領域に属するようキャパシタ３２の容量を設定すればよいし、逆に、電気自動車１０に搭載するキャパシタ３２の容量が設定されているときには、この好適領域に属するよう燃料電池３０の最大出力を設定すればよい。
【００３１】
さらに、こうした好適領域のうち実線Ａと破線Ｂとの交点近傍の領域は、発進時フル加速繰り返し可能条件と中間車速フル加速繰り返し可能条件の双方を必要最小限で満たす必要十分領域となるから、この必要十分領域に属する性能の燃料電池とキャパシタとを選定して燃料電池３０とキャパシタ３２として搭載すれば、車両に必要な動特性に必要十分に適合した性能の燃料電池とキャパシタとを搭載した電気自動車１０とすることができる。また、この必要十分領域は、一点鎖線Ｃから解るように、条件満足領域のうち最小コスト近傍の領域となる。したがって、この必要十分領域に属する性能の燃料電池とキャパシタとを選定して燃料電池３０とキャパシタ３２として搭載することにより、電気自動車１０のコストを低減することができる。以上の結果、必要十分領域内に属する性能の燃料電池とキャパシタとを選定することにより、車両に必要な動特性に必要十分に適合すると共にエネルギ効率がよい性能の燃料電池とキャパシタとを搭載することができ、更にコストの低減も図ることができるのである。実施例の電気自動車１０では、こうした理由により、必要十分領域に属する最大出力９５ｋＷの燃料電池３０と容量が７Ｆのキャパシタ３２とを搭載している。
【００３２】
電気自動車１０に搭載する燃料電池３０とキャパシタ３２の性能は、電気自動車１０の総重量と車両に必要な動特性とにより変化するが、総重量毎に車両に必要な動特性毎に実験を行ない、図２に例示するような関係図を求め、搭載すべき燃料電池の最大出力とキャパシタの容量との関係を、発進時フル加速繰り返し可能条件を満たす下限（図２中実線Ａ）と中間車速フル加速繰り返し可能条件を満たす下限（図２中破線Ｂ）との交点近傍のものとして求めればよい。こうすることにより、車両の総重量や車両に必要な動特性に適合した性能の燃料電池とキャパシタとを選定して車両に搭載することができる。
【００３３】
以上説明した実施例の電気自動車１０によれば、発進時フル加速繰り返し可能条件と中間車速フル加速繰り返し可能条件の双方を必要最小限で満たす必要十分領域の性能の燃料電池３０とキャパシタ３２とを搭載するから、車両に必要な動特性を得ることができると共にエネルギ効率を向上させることができる。しかも、電気自動車１０の製造コストを低減することができる。
【００３４】
また、実施例における電気自動車１０に搭載すべき燃料電池３０の最大出力とキャパシタ３２の容量との設定方法によれば、車両の総重量と車両に必要な動特性とに応じて発進時フル加速繰り返し可能条件と中間車速フル加速繰り返し可能条件の双方を必要最小限で満たす必要十分領域を求めることにより、車両の総重量や車両に必要な動特性に適合した燃料電池の最大出力とキャパシタの容量とを設定することができる。したがって、こうして設定した最大出力の燃料電池と容量のキャパシタを車両に搭載することにより、車両に必要な動特性を得ることができると共にエネルギ効率を向上させることができる。
【００３５】
実施例の電気自動車１０のように、走行用モータ３６に対して燃料電池３０とキャパシタ３２とを並列接続してなる電気自動車は、運転者の操作によりピーク的に発生する大出力の要求に対して、走行用モータに対して燃料電池と二次電池とを並列接続してなる電気自動車に比して、燃料電池からの出力を抑えることができる。これは、燃料電池と二次電池とを搭載する電気自動車では二次電池が出力制限されることにより燃料電池から大出力を出力しなければならないが、燃料電池３０とキャパシタ３２とを搭載する電気自動車１０では、短時間であればキャパシタ３２から大出力を出力することができることに基づく。即ち、実施例の電気自動車１０では、運転者のピーク的な大出力の要求に対しては、まず、キャパシタ３２から大出力を出力することによって対応するのである。こうした運転者のピーク的な大出力の要求は僅かな時間であるのが多く長時間継続するものではないから、キャパシタ３２からの出力によって燃料電池３０からの大出力が出力されるのを抑えることができる。したがって、走行用モータ３６の制御において、走行時のピーク制御におけるトルクの使用可能領域を拡大させることができる。このように、ピーク的な大出力の要求やその制御において、燃料電池の出力を抑制することができる点や走行用モータの使用可能領域を拡大させることができる点で、実施例の走行用モータ３６に対して燃料電池３０とキャパシタ３２とを並列接続してなる電気自動車１０は、走行用モータに対して燃料電池と二次電池とを並列接続してなる電気自動車より有利なものといえる。
【００３６】
実施例の電気自動車１０では、必要十分領域に属する性能の燃料電池３０とキャパシタ３２とを搭載するものとしたが、図２中でハッチングして示した好適領域に属する性能の燃料電池３０とキャパシタ３２とを選定して搭載するものとしてもかまわないし、図２中の実線Ａの右上領域と破線Ｂの右上領域の重なる条件満足領域に属する性能の燃料電池３０とキャパシタ３２とを選定して搭載するものとしても差し支えない。
【００３７】
また、実施例の電気自動車１０では、定格出力が電気自動車１０に搭載した燃料電池３０の最大出力とこの最大出力で運転されている燃料電池３０の動作電圧におけるキャパシタ３２の最大出力との和と略等価となる性能の走行用モータ３６を搭載するものとしたが、この性能以上の性能のモータを走行用モータ３６として搭載するものとしても差し支えない。
【００３８】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】  実施例の電気自動車１０の構成の概略を示す構成図である。
【図２】  車両総重量が２ｔの電気自動車における燃料電池３０の最大出力とキャパシタ３２の容量と車両の動特性とコストとの関係の一例を示す説明図である。
【符号の説明】
１０  電気自動車、１２  駆動輪、１４  デファレンシャルギヤ、２２  水素高圧タンク、２４  アキュムレータ、２６  循環ポンプ、２８  エアコンプレッサ、３０  燃料電池、３２  キャパシタ、３４  インバータ、３６  走行用モータ、５４  ＤＣ／ＤＣコンバータ、６０  ２次電池、６２  補機、７０  電子制御ユニット、７２  ＣＰＵ、７４  ＲＯＭ、７６  ＲＡＭ、８１  シフトレバー、８２  シフトポジションセンサ、８３  アクセルペダル、８４  アクセルペダルポジションセンサ、８５  ブレーキペダル、８６  ブレーキペダルポジションセンサ、８８  車速センサ。
【図１】
0003700061.tif 000002
【図２】
0003700061.tif 000003